(57)【要約】【課題】窓ガラスの撓みを抑制してガラスの破損を防止し、且つ着脱が容易な窓ガラス破損防止具を提供する。【解決手段】窓ガラス破損防止具１は抑え枠２００Ａ，２００Ｂとフィルムシート４により構成され、抑え枠２００Ａはガイド部材２１０とスライド部２２０，２３０と取着体２４０と窓ガラス当接部２５０を備え、ガイド部材２１０各長手側に備えられたスライド部２２０，２３０は形成されたガイド溝２１１に沿いガイド部材２１０長さ方向にスライドする。ゴム又は合成樹脂の窓ガラス当接部２５０はガイド部材２１０下方に設けられている。取着体２４０は抑え枠２００Ａ各端部に設けられ、吸盤２４１と操作レバー２４２を備えている。抑え枠２００Ｂは抑え枠２００Ａとほぼ同様の構造であり、長手方向中央に側面視円弧状でその短手方向に貫通した挿通部２６３を有するアーチ体２６０を備えている。【選択図】図１
0003118009.tif 000002
【実用新案登録請求の範囲】
【請求項１】
抑え枠(200A,200B)と、窓ガラス又は窓枠に抑え枠を取着する手段(240)と、窓ガラス当接部材(250)と、を備えた窓ガラス破損防止具(1)であって、
上記抑え枠を取着する手段(240)は、窓ガラス又は窓枠に着脱可能に構成されており、
上記抑え枠(200A,200B)は、その設置時において、窓ガラス(320)に窓ガラス当接部材(250)を当接または押し当てることができるよう構成されていることを特徴とする、
窓ガラス破損防止具。
【請求項２】
２以上の抑え枠(200A,200B)を備えたものであって、
上記抑え枠(200A,200B)は嵌合させ、あるいは交差させ、または組み合わせて使用できるよう構成されていることを特徴とする、
請求項１記載の窓ガラス破損防止具。
【請求項３】
抑え枠(200A,200B)または／および窓ガラス当接部材(250)を、伸縮または延設する手段(220,230)を備えていることを特徴とする、
請求項１または２記載の窓ガラス破損防止具。
【請求項４】
複数の抑え枠(200A,200B)と、窓ガラス又は窓枠に抑え枠を取着する吸盤(240)と、窓ガラス当接部材(250)と、を備えた窓ガラス破損防止具(1)であって、
上記抑え枠(200A,200B)は、スライドして伸縮する構造又は入れ子式構造に形成されており、
上記抑え枠(200A,200B)のいずれか一方又は双方に、嵌合部または組み合わせ部(260)が設けられており、
上記吸盤(250)は抑え枠(200A,200B)に設けられ、着脱状態の切替手段(242)を備えていることを特徴とする、
窓ガラス破損防止具。
【請求項５】
複数の抑え枠(200A,200B)と、窓ガラス又は窓枠に抑え枠を取着する吸盤(240)と、窓ガラス当接部材(250)と、を備えた窓ガラス破損防止具(1)であって、
上記抑え枠(200A,200B)は、スライドして伸縮する構造又は入れ子式構造に形成されており、
上記抑え枠(200A,200B)のいずれか一方又は双方に、嵌合部または組み合わせ部(260)が設けられており、
また、上記嵌合部または組み合わせ部(260)は、嵌合または組み合わせて使用する際に取付角度を調整できるよう構成されており、
上記吸盤(250)は抑え枠(200A,200B)に設けられ、着脱状態の切替手段(242)を備えていることを特徴とする、
窓ガラス破損防止具。
【請求項６】
設置時において、窓ガラス破損防止具(1)に係る窓ガラス当接部材(250)と窓ガラス(320)の間に飛散防止部材(4)を挟み込んで使用するものであることを特徴とする、
請求項１、２、３、４または５記載の窓ガラス破損防止具。
【考案の詳細な説明】
【技術分野】
【０００１】
本考案は、窓ガラス破損防止具に関する。更に詳しくは、窓ガラス又は窓枠に取り付けて、強風による窓ガラスの撓みを抑制して破損しにくくするものに関する。
【背景技術】
【０００２】
台風等の強風が発生する天候時に窓ガラスが割れる原因の一つとして、風圧による破損が挙げられる。
窓に対して正面方向から強烈な突風が吹き付けた場合、その風圧の逃げ場が無いため、窓ガラスには相当な負荷が掛かる。このとき、窓ガラスは、瞬間的に室内側に撓むのであるが、その弾性限界を超えるとひび割れが生じ、更には完全に割れて室内側に破片が飛散する。
上記のような窓ガラスの破損を防止する方法としては、室内側から窓ガラスに市販の粘着テープを貼り付ける方法が一般的に行われている。
しかし、この方法を採用した場合、割れたガラスの飛散は防止できるものの、粘着テープを除去した後もその粘着剤が窓ガラスに付着する、または付着した粘着剤が取れにくいという課題があった。
【０００３】
そこで、上記課題を解決する粘着テープとして、下記実用新案登録文献１に示すような粘着テープが提案されている。
実用新案登録文献１に係る粘着テープは、使用後にテープを剥がしても粘着剤が窓ガラスに残らないよう構成しているものである。この粘着テープを室内側から貼り付けることにより、割れた窓ガラスの飛散を防止するという点における効果は期待できる。
【特許文献１】特開平１０−１７８３５号
【考案の開示】
【考案が解決しようとする課題】
【０００４】
しかし、実用新案登録文献１を含む粘着テープは、割れた窓ガラスの飛散を事後的に防止するものであって、窓ガラスの破損を予備的に防止するものではない。
他方、窓ガラスの破損を防止する手段として雨戸を設置する方法も考えられるが、アパート、マンションまたは借家等の賃貸住宅は、居住者が当該住宅を改造することができないような契約になっている場合が多い。また、上記のような賃貸住宅、特に新しいものや小規模な集合住宅については、雨戸が設置されていないものも多い。
【０００５】
本考案者は、台風の被害を受けることが多い九州に在住しており、その経験に基づいて、台風の際の暴風によって窓ガラスが撓んで窓ガラス等にヒビが生じることを知見した。
本考案者は、知見した上記現象を抑制するための研究を行った結果、本考案に想到するに至った。
【０００６】
（考案の目的）
そこで、本考案の目的は、窓ガラスの撓みを抑制してガラスの破損を防止し、且つ着脱が容易な窓ガラス破損防止具を提供することにある。
【課題を解決するための手段】
【０００７】
上記目的を達成するために講じた本考案の手段は次のとおりである。
第１の考案にあっては、
抑え枠と、窓ガラス又は窓枠に抑え枠を取着する手段と、窓ガラス当接部材と、を備えた窓ガラス破損防止具であって、
上記抑え枠を取着する手段は、窓ガラス又は窓枠に着脱可能に構成されており、
上記抑え枠は、その設置時において、窓ガラスに窓ガラス当接部材を当接または押し当てることができるよう構成されていることを特徴とする、
窓ガラス破損防止具である。
【０００８】
第２の考案にあっては、
２以上の抑え枠を備えたものであって、
上記抑え枠は嵌合させ、あるいは交差させ、または組み合わせて使用できるよう構成されていることを特徴とする、
第１の考案に係る窓ガラス破損防止具である。
【０００９】
第３の考案にあっては、
抑え枠または／および窓ガラス当接部材を、伸縮または延設する手段を備えていることを特徴とする、
第１または第２の考案に係る窓ガラス破損防止具である。
【００１０】
第４の考案にあっては、
複数の抑え枠と、窓ガラス又は窓枠に抑え枠を取着する吸盤と、窓ガラス当接部材と、を備えた窓ガラス破損防止具であって、
上記抑え枠は、スライドして伸縮する構造又は入れ子式構造に形成されており、
上記抑え枠のいずれか一方又は双方に、嵌合部または組み合わせ部が設けられており、
上記吸盤は抑え枠に設けられ、着脱状態の切替手段を備えていることを特徴とする、
窓ガラス破損防止具である。
【００１１】
第５の考案にあっては、
複数の抑え枠と、窓ガラス又は窓枠に抑え枠を取着する吸盤と、窓ガラス当接部材と、を備えた窓ガラス破損防止具であって、
上記抑え枠は、スライドして伸縮する構造又は入れ子式構造に形成されており、
上記抑え枠のいずれか一方又は双方に、嵌合部または組み合わせ部が設けられており、
また、上記嵌合部または組み合わせ部は、嵌合または組み合わせて使用する際に取付角度を調整できるよう構成されており、
上記吸盤は抑え枠に設けられ、着脱状態の切替手段を備えていることを特徴とする、
窓ガラス破損防止具である。
【００１２】
第６の考案にあっては、
設置時において、窓ガラス破損防止具に係る窓ガラス当接部材と窓ガラスの間に飛散防止部材を挟み込んで使用するものであることを特徴とする、
第１、第２、第３、第４または第５の考案に係る窓ガラス破損防止具である。
【００１３】
「窓ガラス又は窓枠に抑え枠を取着する手段」としては、例えば吸盤が挙げられるほか、磁石を使用し、窓の反対側に配した磁石と協働させて抑え枠を取着するもの、その他の公知手段等であってもよい。
【００１４】
「抑え枠または／および窓ガラス当接部材」は、「抑え枠」または「窓ガラス当接部材」のいずれか一方を備えることもあるし、あるいは、「抑え枠」および「窓ガラス当接部材」の両方を備えることもある。
【００１５】
「飛散防止部材」は、例えば、合成樹脂のフィルムシートが挙げられるが、これに限定するものではなく、紙、ゴム、木又は竹の板、薄い金属のシート、金属板等であってもよい。
【００１６】
（作  用）
本考案に係る窓ガラス破損防止具の作用を説明する。
まず、抑え枠を取着する手段により、窓ガラス破損防止具を室内側の窓ガラスまたは窓枠等に取り付ける。
なお、２以上の抑え枠を備えたものであって、その抑え枠は嵌合させ、あるいは交差させ、または組み合わせて使用できるよう構成されているものについては、抑え枠を嵌合させ、あるいは交差させ、または組み合わせて取り付ける。
また、抑え枠または／および窓ガラス当接部材を、伸縮または延設する手段を備えているものについては、当該手段によって窓ガラスに応じたサイズに調整して取り付ける。
【００１７】
嵌合部または組み合わせ部が設けられ、スライドして伸縮する構造又は入れ子式構造に形成された複数の抑え枠と、窓に抑え枠を取着する吸盤と、窓ガラス当接部材と、を備えたものについては、複数の抑え枠を嵌合部または組み合わせ部で嵌合させまたは組み合わせ、上記嵌合部または組み合わせ部及びスライドして伸縮する構造又は入れ子式構造の抑え枠により窓ガラスのサイズに合わせて取付角度及びサイズを調整する。その後、着脱状態の切替手段を備えた吸盤により窓ガラスまたは窓枠等に取り付ける。
【００１８】
更に、上記窓ガラス破損防止具を取り付ける際に、窓ガラス破損防止具に係る窓ガラス当接部材と窓ガラスの間に飛散防止部材を挟み込んでもよい。
【００１９】
設置後の窓ガラス破損防止具の作用を説明する。
台風等の天候時において、窓の正面方向から強風または突風が吹き付けると、窓ガラスが室内側に撓む。この際に、窓ガラス破損防止具は、窓ガラス当接部材により突風による衝撃を吸収あるいは緩和し、抑え枠が窓ガラスの撓みを抑制する。この結果、窓ガラスが破損しにくくなる。
【００２０】
なお、窓ガラス破損防止具に係る窓ガラス当接部材と窓ガラスの間に、飛散防止部材を挟み込んだ場合は、仮に窓ガラスが破損した場合であっても、当該飛散防止部材がガラス破片の飛散を抑える。
また、飛散防止部材は、窓ガラス破損防止具によって窓ガラスに押し当てられるので、粘着性を備えていなくても窓ガラスに取り付けることができる。
【００２１】
なお、本考案に係る窓ガラス破損防止具を外側の窓ガラス又は窓枠に取着すれば、簡易的な格子となる。これにより、外部からの飛来する物が窓ガラスに衝突することを防ぎ、窓ガラスの破損を防ぐ。
【考案の効果】
【００２２】
（１）本考案によれば、窓ガラスの破損防止効果を有する窓ガラス破損防止具を提供することができる。
（２）また、抑え枠によって窓ガラスが補強されることにより窓ガラスの撓みが抑制され、また、窓ガラス当接部材によって突風等の衝撃が吸収あるいは緩和される結果、窓ガラスの破損防止を図ることができる。
（３）また、２以上の抑え枠を備えたものであって、該抑え枠は嵌合させ、あるいは交差させ、または組み合わせて使用できるよう構成されているものは、窓ガラス又は窓枠の形状や、使用環境に応じた形態となるように組み合わせて使用できる。
（４）更に、抑え枠または／および窓ガラス当接部材を伸縮または延設する手段を備えているものは、窓ガラス又は窓枠の大きさに合わせて長さを調整でき、また、収納時又は運搬時等においては短くすることができて嵩張らない。
（５）スライドして伸縮する構造又は入れ子式構造に形成された複数の抑え枠により構成されたもの、または、上記構造に加えて嵌合または組み合わせて使用する際に取付角度を調整できるよう構成されたものは、多様な形状やサイズの窓ガラス又は窓枠に使用することができ、また、不使用時には分解して収納できるため嵩張りにくく、保管場所が少なくて済む。更に、着脱状態の切替手段を備えた吸盤により、着脱を迅速且つ容易に行うことができる。
（６）本考案に係る窓ガラス破損防止具を外側の窓ガラス又は窓枠に取着すれば、簡易的な格子とすることができ、外部からの飛来する物が窓ガラスに衝突することを防ぎ、窓ガラスの破損を防ぐ。
（７）窓ガラス破損防止具に係る窓ガラス当接部材と窓ガラスの間に、飛散防止部材を挟み込んで使用するものは、上記効果に加えて、窓ガラスが割れた場合にガラス片の飛散防止効果を高めている。
（８）上記窓ガラス破損防止具は、簡易な構造であるため安価で作成できる。また、吸盤等の抑え枠を取着する手段を採用したものは、粘着テープと異なり繰り返して使用でき、使用の度にゴミが発生することもないため、環境に与える負荷が少ない。
【考案を実施するための最良の形態】
【００２３】
本考案の実施の形態を図面に基づき更に詳細に説明する。
図１は本考案に係る窓ガラス破損防止具１の使用状態説明図、
図２は図１に示す抑え枠２００Ａの平面図、
図３は図１に示す抑え枠２００Ａの側面視説明図、
図４は図１に示す抑え枠２００Ａの側方断面図、
図５は図１に示す抑え枠２００Ｂの平面図、
図６は図１に示す抑え枠２００Ｂの側面視説明図
図７は図１に示す窓ガラス破損防止具１を設置した状態を示す要部拡大説明図である。
【００２４】
図１に示す窓ガラス破損防止具１について説明する。
窓ガラス破損防止具１は、抑え枠２００Ａ，２００Ｂと、フィルムシート４により構成されている。以下で詳細に説明する。
【００２５】
抑え枠２００Ａは、主に合成樹脂により形成されており、ガイド部材２１０と、スライド部２２０，２３０と、取着体２４０と、窓ガラス当接部２５０と、を備えている。
【００２６】
ガイド部材２１０は所要の長さを備えた棒状体であり、その両側部には長さ方向の略全長にわたってガイド溝２１１が形成されている。ガイド部材２１０両端近傍の上方側には、それぞれ留めネジ孔２１２が形成されている（図４参照）。
ガイド部材２１０は長さ方向両側にスライド部２２０，２３０を備えており、該スライド部２２０，２３０は、上記ガイド溝２１１に沿ってガイド部材２１０の長さ方向にスライドするよう構成してある。
【００２７】
また、ガイド部材２１０の下方には、窓ガラス当接部２５０がガイド部材２１０の長さ方向の略全長にわたって設けられている。
窓ガラス当接部２５０は、ゴム又は合成樹脂により形成されており、所要の厚みを備えている。窓ガラス当接部２５０を構成するゴムは天然または合成ゴムが用いられ、合成樹脂は、例えば、発泡ウレタンフォーム、ポリエチレンフォーム、フォームラバー、スポンジ等柔軟且つ衝撃を緩衝できる素材により形成されたものを用いることがより好ましい。
【００２８】
スライド部２２０は、貫通孔２２１，２２２，２２３と、留めネジ２２４と、取着体２４０を備えている。
貫通孔２２１，２２２，２２３は、スライド部２２０の上方に形成されている。  留めネジ２２４は、前述の留めネジ孔２１２と、貫通孔２２１，２２２，２２３のいずれかと、を挿通するよう配してある。
取着体２４０は、スライド部２２０端部に設けられており、吸盤２４１と、操作レバー２４２を備えている。
吸盤２４１は、内外が二重になっており、操作レバー２４２を倒すことにより内部の弁２４３が上方に引き上げられ、吸盤内部が真空状態となる構造を備えている（図７参照）。
【００２９】
スライド部２３０は、貫通孔２３１，２３２，２３３と、留めネジ２３４と、取着体２４０を備えている。なお、スライド部２３０の構造は、上記したスライド部２２０と同様であるため、説明を省略する。
【００３０】
次に図１、図５及び図６に示す抑え枠２００Ｂについて説明する。なお、上述した抑え枠２００Ａと同等の構造の部分については、抑え枠２００Ａで使用した符号を付し、説明を省略する。
抑え枠２００Ｂは、主に合成樹脂により形成されており、ガイド部材２１０と、スライド部２２０，２３０と、取着体２４０と、窓ガラス当接部２５０と、アーチ体２６０と、を備えている。
【００３１】
抑え枠２００Ｂは、長手方向の中央部にアーチ体２６０を備えており、該アーチ体２６０の長手側両方向にはガイド部材２１１が延設されている。
アーチ体２６０は、側面視円弧状に形成されており、嵌入部２６１，２６２と、挿通部２６３を備えている。
【００３２】
嵌入部２６１，２６２は、それぞれがアーチ体２６０の長手側外方に突設して形成されており、ガイド部材２１１の内部に挿入してある。挿入された嵌入部２６１，２６２は、それぞれ所要箇所をネジ２６４によってガイド部材２１１に固定してある。
【００３３】
挿通部２６３は、アーチ体２６０の短手方向に向けて貫通しており、その上部は側面視円弧状に形成してある。挿通部２６３の高さは、抑え枠２００Ａのガイド部材２１０の高さとほぼ同等である。
【００３４】
本実施の形態では、抑え枠２００Ａ，２００Ｂは、合成樹脂により形成されているが、これに限定するものではなく、例えば、木材、竹材、アルミニウム、ステンレススチール、銅等の金属、硬質ゴム等であってもよい。なお、抑え枠２００Ａ，２００Ｂは、可撓性又は弾性を有し、強風や突風による衝撃を緩衝できるように多少の可撓性又は弾性を有する素材により形成することがより好ましい。
【００３５】
本実施の形態では、スライド部材２２０，２３０は、ガイド部材２１０，２１１より径大に形成されているが（図４参照）、当該構造に限定するものではなく、例えば、径小に形成されたスライド部材をガイド部材内に入れ込む、いわゆる入れ子式構造に形成されて伸縮するもの等であってもよい。
また、抑え枠２００Ａ，２００Ｂの長さを調節する手段として、他の公知手段、例えば、ガイド部材２１０，２１１の長手方向に棒状体を継ぐことにより延設する構造等を用いてもよい。
【００３６】
本実施の形態では、吸盤２４１は、内外が二重になっており、操作レバー２４２を倒すことにより吸盤内部が真空状態となるものを採用しているが、これに限定するものではなく、他の公知の取着手段を採用してもよい。なお、他の公知の取着手段は、取着面に粘着物質が残留しないものが好ましく、更には、繰り返して使用でき、取り外しが簡単なものがより好ましい。
【００３７】
（作  用）
図１乃至図７を参照して、窓ガラス破損防止具１の作用を説明する。
図１に示した窓３に窓ガラス破損防止具１を取り付けるにあたり、まず、抑え枠２００Ａ，２００Ｂの長さを、取り付ける窓３の大きさに合わせて調整する。
具体的には、抑え枠２００Ａ，２００Ｂに形成されたガイド溝２１１に沿ってスライド部２２０，２３０をスライドさせて長さを調節する。適当な位置にスライドさせた後、スライド部２２０に設けられた貫通孔２２１，２２２，２２３或いはスライド部２３０に設けられた貫通孔２３１，２３２，２３３のいずれかと、留めネジ孔２１２の位置を合わせ、両孔に留めネジ２２４を挿通する。この作業により、スライド部２２０，２３０の動きが固定され、抑え枠２００Ａ，２００Ｂの長さが決まる。
【００３８】
次に、窓ガラス３２０面よりやや小さなフィルムシート４を、室内側の窓ガラス３２０中央に位置するように当接させる。なお、この際に構成されるフィルムシート４外縁と窓ガラス３２０内縁との間の隙間は、後述する吸盤２４１を窓ガラス３２０に取り付けることができる程度に開いていることが好ましい。
【００３９】
次に、抑え枠２００Ａをフィルムシート４の上から抑えるように設置する。
この際に、取着体２４０により抑え枠２００Ａを窓ガラス３２０の角部近傍に取り付ける。具体的には、取着体２４０の吸盤２４１を窓ガラス３２０の角部近傍に取り付け、取り付け後に操作レバー２４２を図７に示す想像線の側に倒す。これにより、吸盤２４１は、内側の弁２４３が上方に引き上げられて内部が真空状態となり、窓ガラス３２０に強力に吸い付いて固定される（図７参照）。同様の操作を行い、反対側に設けられた取着体２４０も取り付ける。
【００４０】
続いて、抑え枠２００Ｂを、抑え枠２００Ａと組み合わせて、フィルムシート４の上から抑えるように設置する。
具体的には、既に固定されている抑え枠２００Ａの上から、抑え枠２００Ｂを被せるようにして挿通部２６３に嵌め込む。そして、挿通部２６３の部分を中心として抑え枠２００Ｂを動かし、窓の形状等に応じて取付角度を調整する。調整後、前述の抑え枠２００Ａと同様の方法で、抑え枠２００Ｂを取着体２４０によって窓ガラス３２０に取り付ける。
【００４１】
なお、窓枠３１０と窓ガラス３２０の表面の高さにあまり差がない場合は、取着体２４０の取付位置は、窓枠３１０であってもよい。
【００４２】
本実施の形態では、窓ガラス破損防止具１の取付に際して、窓ガラス３２０との間にフィルムシート４を挟み込んで使用したが、フィルムシート４を使用せずに直接窓ガラス３２０に取り付けてもよい。
【００４３】
設置後の窓ガラス破損防止具１の作用について説明する。
台風等の天候時において、窓３の正面方向から強風または突風が吹き付けると、窓ガラス３２０が室内側に撓む。この際に、窓ガラス破損防止具１は、窓ガラス当接部２５０によって突風による衝撃を吸収あるいは緩和する。また、抑え枠２００Ａ，２００Ｂは、室内側から窓ガラス３２０を補強し、その撓みを抑制する。この結果、窓ガラス３２０は破損しにくくなる。
【００４４】
なお、仮に窓ガラスが破損した場合であっても、窓ガラス破損防止具１の窓ガラス当接部２５０と窓ガラス３２０の間に挟み込んだフィルムシート４が、ガラス破片の飛散を防止或いは抑制する。
また、窓ガラス破損防止具１によれば、粘着性を備えていないフィルムシートであっても窓ガラス３２０に取り付けできるので、貼り付いた粘着剤等が窓ガラス３２０に残らない。
【００４５】
なお、窓ガラス破損防止具１は窓３の外側にも取着することができ、この場合簡易的な格子となる。これにより、外部からの飛来する物が窓ガラス３に衝突することを防ぎ、窓ガラス３２０の破損を防ぐ。
【００４６】
使用後の窓ガラス破損防止具１は、分解し、短くして収納する。これにより、収納時に嵩張りにくく、保管場所が少なくて済む。
【００４７】
本考案の他の実施の形態を図面に基づき更に詳細に説明する。
図８は図１に示す窓ガラス破損防止具１に係る窓ガラス当接部の他の実施の形態の側方断面図である。
なお、本実施の形態では、窓ガラス当接部２５１以外の部分は、先に説明した窓ガラス破損防止具１と同等の構造及び作用を備えるため、当該部分について重複した説明は省略し、相違する構造及び作用についてのみ説明する。また、窓ガラス破損防止具１と同等の構造部分に関しては同一の符号を付するものとする。
【００４８】
図８に示す窓ガラス破損防止具１の抑え枠２００Ａは、ガイド部材２１０の下方に窓ガラス当接部２５１がガイド部材２１０の長さ方向の略全長にわたって設けられている。
窓ガラス当接部２５１は、所要の厚みを備えたゴム又は合成樹脂により形成され、側方断面視で下方に向かって拡がる逆Ｖ字状に形成されており、突設箇所は接地部２５２を構成し、凹部は切欠部２５３を構成する。
窓ガラス当接部２５１を構成するゴムは天然または合成ゴムが用いられ、合成樹脂は、例えば、発泡ウレタンフォーム、ポリエチレンフォーム、フォームラバー、スポンジ等の可撓性又は弾性を有し、且つ衝撃を緩衝できる素材により形成されたものを用いることがより好ましい。
なお、抑え枠２００Ｂについても、窓ガラス当接部２５１を設けてもよい。
【００４９】
（作  用）
図８を参照して、窓ガラス当接部２５１の作用を説明する。図８（１）は抑え枠２００Ａを窓ガラス３２０に当接させる前の状態、図８（２）は抑え枠２００Ａを窓ガラス３２０に当接させた後の状態を示す。
抑え枠２００Ａを窓ガラス３２０に押しつけるように当接させると、窓ガラス当接部２５１の接地部２５２は撓みながら外方に向けて拡がり、上記切欠部２５３は変形して窓ガラス当接部２５１内部に空間が形成される。
【００５０】
設置後、窓ガラス３２０が強風または突風により室内側に撓んだ場合、窓ガラス当接部２５１は、上記切欠部２５３により構成された空間の分撓むことができ、衝撃を吸収することができる。これにより、窓ガラス破損防止具１は衝撃吸収性あるいは衝撃緩和性が向上する。
【００５１】
なお、本実施の形態では、窓ガラス当接部２５１の切欠部は、側方断面視で下方に向かって拡がる逆Ｖ字状に形成されているが、これに限定するものではなく、例えば、門型や円弧状等に形成したものであってもよい。
【００５２】
本明細書及び実用新案登録請求の範囲で使用している用語と表現は、あくまでも説明上のものであって、なんら限定的なものではなく、本明細書及び実用新案登録請求の範囲に記述された特徴およびその一部と等価の用語や表現を除外する意図はない。また、本考案の技術思想の範囲内で、種々の変形態様が可能であるということは言うまでもない。
【図面の簡単な説明】
【００５３】
【図１】本考案に係る窓ガラス破損防止具の使用状態説明図。分解斜視説明図。
【図２】図１に示す抑え枠２００Ａの平面図。
【図３】図１に示す抑え枠２００Ａの側面視説明図。
【図４】図１に示す抑え枠２００Ａの側方断面図。
【図５】図１に示す抑え枠２００Ｂの平面図。
【図６】図１に示す抑え枠２００Ｂの側面視説明図。
【図７】図１に示す窓ガラス破損防止具１を設置した状態を示す要部拡大説明図。
【図８】図１に示す窓ガラス破損防止具１に係る窓ガラス当接部の他の実施の形態の側方断面図。
【符号の説明】
【００５４】
１        窓ガラス破損防止具
２００Ａ  抑え枠
２００Ｂ  抑え枠
２１０    ガイド部材
２１１    ガイド溝
２１２    留めネジ孔
２２０    スライド部
２２１    貫通孔
２２２    貫通孔
２２３    貫通孔
２２４    留めネジ
２３０    スライド部
２３１    貫通孔
２３２    貫通孔
２３３    貫通孔
２３４    留めネジ
２４０    取着体
２４１    吸盤
２４２    操作レバー
２４３    弁
２５０    窓ガラス当接部
２５１    窓ガラス当接部
２５２    接地部
２５３    切欠部
２６０    アーチ体
２６１    嵌入部
２６２    嵌入部
２６３    挿通部
２６４    ネジ
３        窓
３１０    窓枠
３２０    窓ガラス
４        フィルムシート
【図１】
0003118009.tif 000003
【図２】
0003118009.tif 000004
【図３】
0003118009.tif 000005
【図４】
0003118009.tif 000006
【図５】
0003118009.tif 000007
【図６】
0003118009.tif 000008
【図７】
0003118009.tif 000009
【図８】
0003118009.tif 000010